(57)【要約】  本発明は、端子の嵌合を判別することが可能なコネクタ組立体を提供することを目的とする。メスコネクタ（６０）は，メス端子（７０）と，メス端子（７０）を保持するメス側ハウジング（８０）と，メス側ハウジング（８０）に回転可能に保持されたボルト（８６）とを有する。オスコネクタ（１０）は，オス端子（２０）と，オス端子（２０）を保持すると共にメス側ハウジング（８０）と嵌合可能なオス側ハウジング（３０，５０）と，オス側アウタハウジング（５０）に設けられた雌ネジ部（５３１）とを有する。そして，ボルト（８６）と雌ネジ部（５３１）とを螺合させることで，メスコネクタ（６０）とオスコネクタ（１０）とが嵌合するコネクタ組立体（１）は，メス端子（７０）とオス端子（２０）とが嵌合したことを表示する嵌合表示手段（５１４，８２４）を備えている。
2012105652.tif 000002
【特許請求の範囲】
【請求項１】
第１の端子と、前記第１の端子を保持する第１のコネクタ本体と、前記第１のコネクタ本体に回転可能に保持されたボルトと、を有する第１のコネクタと、
前記第１の端子と嵌合可能な第２の端子と、前記第２の端子を保持すると共に前記第１のコネクタ本体と嵌合可能な第２のコネクタ本体と、前記第２のコネクタ本体に設けられた雌ネジ部と、を有する第２のコネクタと、を備え、
前記ボルトと前記雌ネジ部とを螺合させることで、前記第１のコネクタと前記第２のコネクタとが嵌合するコネクタ組立体であって、
前記第１の端子と前記第２の端子とが嵌合したことを表示する嵌合表示手段を備えたことを特徴とするコネクタ組立体。
【請求項２】
請求項１に記載のコネクタ組立体であって、
前記ボルトは、前記第１のコネクタの中心から偏心した位置で前記第１のコネクタ本体に回転可能に保持されており、
前記雌ネジ部も、前記ボルトに対応するように、前記第２のコネクタの中心から偏心した位置で前記第２のコネクタ本体に設けられていることを特徴とするコネクタ組立体。
【請求項３】
請求項１又は２に記載のコネクタ組立体であって、
前記嵌合表示手段は、前記第１のコネクタ本体と前記第２のコネクタ本体との相対的な位置関係に基づいて、前記第１の端子と前記第２の端子とが嵌合したことを表示することを特徴とするコネクタ組立体。
【請求項４】
請求項１〜３の何れかに記載のコネクタ組立体であって、
前記嵌合表示手段は、
突起を有し、前記第１のコネクタ本体又は前記第２のコネクタ本体の一方に、前記第１の端子と前記第２の端子との嵌合方向に沿って設けられた弾性片と、
前記第２のコネクタ本体又は前記第１のコネクタ本体の他方に設けられ、前記突起が入り込む凹部と、を含むことを特徴とするコネクタ組立体。
【請求項５】
請求項４に記載のコネクタ組立体であって、
前記第２のコネクタ本体又は前記第１のコネクタ本体の他方は、前記嵌合方向に沿って延在するリブを有し、
前記凹部は、前記リブに形成されていることを特徴とするコネクタ組立体。
【請求項６】
請求項５に記載のコネクタ組立体であって、
前記第１のコネクタ本体と前記第２のコネクタ本体とが嵌合を開始すると、前記リブが前記弾性片に押圧して前記弾性片が撓み、
前記第１のコネクタ本体と前記第２のコネクタ本体との相対位置が、前記第１の端子と前記第２の端子とが正規の位置で嵌合するような位置に達すると、前記突起が前記凹部内に入り込み、前記弾性片の撓みが解除されることを特徴とするコネクタ組立体。
【請求項７】
請求項１〜３の何れかに記載のコネクタ組立体であって、
前記嵌合表示手段は、
凹部を有し、前記第１のコネクタ本体又は前記第２のコネクタ本体の一方に、前記第１の端子と前記第２の端子との嵌合方向に沿って設けられた弾性片と、
前記第２のコネクタ本体又は前記第１のコネクタ本体の他方に設けられ、前記凹部に入り込む突起と、を含むことを特徴とするコネクタ組立体。
【請求項８】
請求項４〜７の何れかに記載のコネクタ組立体であって、
前記第１のコネクタ本体又は前記第２のコネクタ本体の一方は、前記弾性片の少なくとも一部を囲む枠部を有することを特徴とするコネクタ組立体。
【発明の詳細な説明】
【技術分野】
【０００１】
本発明は、第１のコネクタと第２のコネクタとをボルト締結によって嵌合させるコネクタ組立体に関するものである。
文献の参照による組み込みが認められる指定国については、２０１１年２月４日に日本国に出願された特願２０１１−２２９５４号に記載された内容を参照により本明細書に組み込み、本明細書の記載の一部とする。
【背景技術】
【０００２】
ボルトと雌型ネジ部材とを螺合させることで、プラグコネクタと端子配置ハウジングとを嵌合させるボルト締結型コネクタ組立体が知られている（例えば特許文献１参照）。【０００３】
このコネクタ組立体では、ボルトがプラグコネクタの中央に配置されていると共に、雌型ネジ部材も端子配置ハウジングの中央に配置されており、コネクタ組立体はその中心でボルト締結されている。
【先行技術文献】
【特許文献】
【０００４】
【特許文献１】特開２００２−２２２６７９号公報
【発明の概要】
【発明が解決しようとする課題】
【０００５】
しかしながら、コネクタに接続された複数の電線を一つの編素線でまとめてシールドしたり、コネクタを防止仕様とする場合には、コネクタ組立体の中心でコネクタ同士をボルト締結することはできず、中心から偏心した位置でコネクタ同士をボルト締結せざるを得ない。【０００６】
コネクタ同士を偏心位置でボルト締結するとコネクタに非対称の力が加わるため、ボルトと雌ネジ部との間にかじりが生じ易くなる。ボルトと雌ネジ部との間でかじりが生じてしまうと、コネクタ組立体の内部で端子同士が適切に嵌合しているか否か判別し得ないという問題があった。【０００７】
本発明が解決しようとする課題は、端子の嵌合を判別することが可能なコネクタ組立体を提供することである。
【課題を解決するための手段】
【０００８】
［１］本発明に係るコネクタ組立体は、第１の端子と、前記第１の端子を保持する第１のコネクタ本体と、前記第１のコネクタ本体に回転可能に保持されたボルトと、を有する第１のコネクタと、前記第１の端子と嵌合可能な第２の端子と、前記第２の端子を保持すると共に前記第１のコネクタ本体と嵌合可能な第２のコネクタ本体と、前記第２のコネクタ本体に設けられた雌ネジ部と、を有する第２のコネクタと、を備え、前記ボルトと前記雌ネジ部とを螺合させることで、前記第１のコネクタと前記第２のコネクタとが嵌合するコネクタ組立体であって、前記第１の端子と前記第２の端子とが嵌合したことを表示する嵌合表示手段を備えたことを特徴とする。【０００９】
［２］上記発明において、前記ボルトは、前記第１のコネクタの中心から偏心した位置で前記第１のコネクタ本体に回転可能に保持されており、前記雌ネジ部も、前記ボルトに対応するように、前記第２のコネクタの中心から偏心した位置で前記第２のコネクタ本体に設けられていてもよい。【００１０】
［３］上記発明において、前記嵌合表示手段は、前記第１のコネクタ本体と前記第２のコネクタ本体との相対的な位置関係に基づいて、前記第１の端子と前記第２の端子とが嵌合したことを表示してもよい。【００１１】
［４］上記発明において、前記嵌合表示手段は、突起を有し、前記第１のコネクタ本体又は前記第２のコネクタ本体の一方に、前記第１の端子と前記第２の端子との嵌合方向に沿って設けられた弾性片と、前記第２のコネクタ本体又は前記第１のコネクタ本体の他方に設けられ、前記突起が入り込む凹部と、を含んでもよい。【００１２】
［５］上記発明において、前記第２のコネクタ本体又は前記第１のコネクタ本体の他方は、前記嵌合方向に沿って延在するリブを有し、前記凹部は、前記リブに形成されていてもよい。【００１３】
［６］上記発明において、前記第１のコネクタ本体と前記第２のコネクタ本体とが嵌合を開始すると、前記リブが前記弾性片に押圧して前記弾性片が撓み、前記第１のコネクタ本体と前記第２のコネクタ本体との相対位置が、前記第１の端子と前記第２の端子とが正規の位置で嵌合するような位置に達すると、前記突起が前記凹部内に入り込み、前記弾性片の撓みが解除されてもよい。【００１４】
［７］上記発明において、前記嵌合表示手段は、凹部を有し、前記第１のコネクタ本体又は前記第２のコネクタ本体の一方に、前記第１の端子と前記第２の端子との嵌合方向に沿って設けられた弾性片と、前記第２のコネクタ本体又は前記第１のコネクタ本体の他方に設けられ、前記凹部に入り込む突起と、を含んでもよい。【００１５】
［８］上記発明において、前記第１のコネクタ本体又は前記第２のコネクタ本体の一方は、前記弾性片の少なくとも一部を囲む枠部を有してもよい。
【発明の効果】
【００１６】
本発明によれば、嵌合表示手段によって第１の端子と第２の端子の嵌合を判別することが可能となる。
【図面の簡単な説明】
【００１７】
【図１】図１は、本発明の実施形態におけるコネクタ組立体を示す斜視図であり、嵌合状態のコネクタ組立体を示す図である。
【図２】図２は、本発明の実施形態におけるコネクタ組立体を示す分解斜視図である。
【図３】図３（ａ）は、本発明の実施形態におけるオスコネクタを示す正面図であり、図３（ｂ）は、本発明の実施形態におけるオスコネクタを示す平面図であり、図３（ｃ）は、本実施形態におけるオスコネクタの側面図であり、図３（ｄ）は、本実施形態におけるオスコネクタを示す背面図である。
【図４】図４は、本発明の実施形態におけるオスコネクタを示す分解斜視図である。
【図５】図５は、本発明の実施形態における仕切部材を示す斜視図である。
【図６】図６（ａ）〜図６（ｅ）は、本発明の実施形態におけるオスコネクタの組立手順を示す図である。
【図７】図７（ａ）は、本発明の実施形態におけるメスコネクタを示す正面図であり、図７（ｂ）は、本発明の実施形態におけるメスコネクタを示す平面図であり、図７（ｃ）は、本発明の実施形態におけるメスコネクタを示す側面図である。
【図８】図８は、本発明の実施形態におけるメスコネクタを示す分解斜視図である。
【図９】図９（ａ）〜図９（ｃ）は、図７（ｃ）のIX部の拡大断面図であり、図９（ａ）はオス端子をメス端子に嵌合する前の状態を示し、図９（ｂ）はオス端子とメス端子とが嵌合した状態を示し、図９（ｃ）はオス端子とメス端子とが半嵌合な状態を示す。
【図１０】図１０（ａ）は、図７（ｃ）のX-X線に沿った拡大断面図であり、図１０（ｂ）は、図１０（ａ）のXB-XB線に沿った断面図である。
【図１１】図１１（ａ）〜図１１（ｇ）は、本発明の実施形態におけるメスコネクタの組立手順を示す図である。
【図１２】図１２（ａ）〜図１２（ｃ）は、本発明の実施形態におけるオスコネクタとメスコネクタとの嵌合動作を示す断面図である。
【図１３】図１３（ａ）は、図１２（ｂ）のXIIIA部の拡大図であり、図１３（ｂ）は、図１２（ｃ）のXIIIBの拡大図である。
【図１４】図１４（ａ）及び図１４（ｂ）は、図１２（ｂ）及び図１２（ｃ）にそれぞれ対応した斜視図である。
【図１５】図１５は、本発明の実施形態における嵌合表示手段の第１変形例を示す断面図である。
【図１６】図１６（ａ）は、本発明の実施形態における嵌合表示手段の第２変形例を示す断面図であり、及び図１６（ｂ）は、図１６（ａ）のXVIB矢視図である。
【図１７】図１７は、本発明の実施形態における嵌合表示手段の第３変形例を示す断面図である。
【図１８】図１８は、本発明の実施形態における嵌合表示手段の第４変形例を示す平面図である。
【発明を実施するための形態】
【００１８】
以下、本発明の実施形態を図面に基づいて説明する。
【００１９】
図１及び図２は本実施形態におけるコネクタ組立体を示す図であり、図１は嵌合している状態のコネクタ組立体を示し、図２は嵌合前のコネクタ組立体を示す。
【００２０】
本実施形態におけるコネクタ組立体１は、図１及び図２に示すように、相互に嵌合可能なオスコネクタ１０とメスコネクタ６０から構成されている。このコネクタ組立体１は、例えば、電動モータを走行駆動源とする電気自動車において、電動モータとインバータの間やインバータとバッテリの間で大容量の電力を伝達する電力ケーブルのコネクタとして用いられる。
【００２１】
本実施形態では、オスコネクタ１０は、例えば、電動モータの筐体１００に取り付けられている。一方、メスコネクタ６０は、例えば、インバータに電気的に接続された交流用電力ケーブル９０の端部に取り付けられている。
【００２２】
因みに、本実施形態における交流用の電力ケーブル９０は、三相交流電力（Ｕ，Ｖ，Ｗ相）用の３本の電線９１と、当該３本の電線９１を囲繞する編組線９３と、から構成されている。
【００２３】
このコネクタ組立体１では、メスコネクタ６０に設けられたボルト８６を、オスコネクタ１０の雌ネジ部５３１にねじ込む（螺合させる）ことで、オスコネクタ１０とメスコネクタ６０とが嵌合し、電力ケーブル９０を介してインバータと電動モータとが電気的に接続される。
【００２４】
なお、本実施形態におけるコネクタ組立体１を、例えば、電動モータに電気的に接続された電力ケーブルを、インバータに電気的に接続するために用いてもよいし、インバータとバッテリ間を電気的に接続するために用いてもよい。また、上述の電気自動車には、内燃機関と電動モータの双方を走行駆動源とするハイブリッド電気自動車も含む。
【００２５】
以下において、オスコネクタ１０とメスコネクタ６０とが嵌合する方向を「嵌合方向」と称し、オスコネクタ１０とメスコネクタ６０とを取り外す方向（すなわち嵌合方向とは反対側の方向）を「解除方向」と称する。
【００２６】
先ず、図３〜図５を参照しながら、オスコネクタ１０の構成について詳細に説明する。
【００２７】
図３（ａ）〜図３（ｄ）は本実施形態におけるオスコネクタを示す図、図４は本実施形態におけるオスコネクタを示す分解斜視図、図５は本実施形態における仕切部材を示す斜視図である。
【００２８】
本実施形態におけるオスコネクタ１０は、図３（ａ）〜図３（ｄ）及び図４に示すように、３つのオス端子２０と、オス側インナハウジング３０と、仕切部材４０と、オス側アウタハウジング５０と、から構成されている。
【００２９】
オス端子２０は、例えば銅又は銅合金から構成されており、図４に示すように、その先端に平板状のタブ２１を有すると共に、その後端に内孔２２１を持つ環状部２２（いわゆるＬＡ端子）と、を有している。このオス端子２０のタブ２１がメス端子７０の受容部７１（図９（ａ）参照）に挿入されることで、オス端子２０とメス端子７０とが嵌合する。
【００３０】
一方、図３（ｂ）及び図３（ｄ）に示すように、オス端子２０の環状部２２の下方には、仕切部材４０によってナット４６が保持されている。例えば、内孔２２１に挿入されたボルト（不図示）がこのナット４６に螺合することで、電動モータに電気的に接続されたバスバ（不図示）がオス端子２０と締結されて、当該バスバとオス端子２０とが電気的に接続される。
【００３１】
また、図４に示すように、このオス端子２０の中間部分には、２組の突起２３が形成されている。この突起２３の間に端子シール２４が位置するように、オス端子２０が環状の端子シール２４に挿入されており（図６（ａ）参照）、この突起２３によって端子シール２４が保持されている。この端子シール２４は、例えばフッ素ゴムから構成されている。
【００３２】
オス側インナハウジング３０は、図３（ａ）〜図３（ｄ）及び図４に示すように、端子保持部３１と、インナフランジ３２と、オス側インナ筒部３３と、を有している。このオス側インナハウジング３０は、例えば樹脂材料等の電気絶縁性を有する材料から構成されており、端子保持部３１、インナフランジ３２、及びオス側インナ筒部３３が一体的に形成されている。
【００３３】
端子保持部３１には、オス端子２０をそれぞれ保持する３つの端子保持孔３１１が実質的に平行に形成されている。それぞれの端子保持孔３１１は端子保持部３１を貫通しており、解除方向側の開口を介して、オス端子２０が端子保持孔３１１内にタブ２１側から挿入されている。また、この端子保持孔３１１には、オス端子２０と共に端子シール２４が圧入されており、この端子シール２４がオス端子２０とオス側インナハウジング３０との間をシールしている。
【００３４】
端子保持孔３１１に挿入されたオス端子２０のタブ２１は、端子保持孔３１１の嵌合方向側の開口から突出しており、オス側インナ筒部３３の内孔３３１内に位置している。
【００３５】
一方、オス端子２０の環状部２２も、端子保持孔３１１の解除方向側の開口から突出しているが、端子保持部３１の下部が、当該環状部２２の下方まで延在して延在部３１３を構成している。この延在部３１３には、仕切部材４０の第１の支持アーム４２が挿入される挿入溝３１４や、第２の支持アーム４３及びナット４６が挿入される切欠き３１５が形成されている。
【００３６】
インナフランジ３２は、端子保持部３１から径方向に拡がっており、このインナフランジ３２の解除方向側の主面には、端子保持部３１を囲むように、環状溝３２１（図６（ｂ）参照）が形成されている。この環状溝３２１には、例えばフッ素ゴム等から構成されるハウジングシール３２２が挿入されている。
【００３７】
オス側インナ筒部３３は、インナフランジ３２から嵌合方向に向かって突出している。このオス側インナ筒部３３は、内孔３３１を有する偏平の略円筒体であり、内孔３３１には、端子保持部３１から突出するオス端子２０のタブ２１が位置している。
【００３８】
仕切部材４０は、図５に示すように、２枚のリブ４１と、２本の第１の支持アーム４２と、３本の第２の支持アーム４３と、第１の連結桟４４と、第２の連結桟４５と、を有している。この仕切部材４０は、例えば樹脂材料等の電気絶縁性を有する材料から構成されており、リブ４１、第１の支持アーム４２、第２の支持アーム４３、第１の連結桟４４、及び第２の連結桟４５が一体的に形成されている。
【００３９】
２枚のリブ４１は、第１の支持アーム４２によってそれぞれ支持されている。２本の第１の支持アーム４２は、解除方向側の端部で第１の連結桟４４によって連結されていると共に、嵌合方向側の端部で第２の連結桟４５で連結されている。
【００４０】
また、第１の連結桟４４から嵌合方向に向かって３本の第２の支持アーム４３が突出している。この３本の第２の支持アーム４３は、オス側インナハウジング３０に保持された３本のオス端子２０の環状部２２に対応するように配置されている。また、それぞれの第２の支持アーム４３には、ナット４６を保持する凹部４３１がそれぞれ形成されている。ナット４６は、六角形の外形を有する本体部４６１と、略矩形の外形を有する台座部４６２と、を有しており、台座部４６２が第２の支持アーム４３の凹部４３１に嵌め込まれている。
【００４１】
この仕切部材４０の第１の支持アーム４２が、延在部３１３の挿入溝３１４に挿入されていると共に、当該仕切部材４０の第２の支持アーム４３及びナット４６が、延在部３１３の切欠き３１５に挿入されている。
【００４２】
このように仕切部材４０がオス側インナハウジング３０に挿入されると、図３（ｂ）及び図３（ｄ）に示すように、リブ４１がオス端子２０の間に隔壁としてそれぞれ介在するので、オス端子２０間の沿面距離が確保される。
【００４３】
また、オス端子２０の環状部２２とバスバが、ボルト及びナット４６によって締結されると、ナット４６を含めた仕切部材４０全体が、オス端子２０及びボルトを介してオス側インナハウジング３０に固定される。
【００４４】
オス側アウタハウジング５０は、図３（ａ）〜図３（ｄ）及び図４に示すように、オス側アウタ筒部５１と、アウタフランジ５２と、オス側凸部５３と、を有している。このオス側アウタハウジング５０は、例えば、アルミ等の導電性を有する材料から構成されており、オス側アウタ筒部５１、アウタフランジ５２、及びオス側凸部５３が一体的に形成されている。
【００４５】
オス側アウタ筒部５１は、内孔５１１を有する偏平の略円筒体であり、この内孔５１１にはオス側インナ筒部３３が挿入されている。また、このオス側アウタ筒部５１の長軸方向の両端には、嵌合方向に沿ったガイドリブ５１２，５１３が形成されている。オスコネクタ１０とメスコネクタ６０との嵌合時に、このガイドリブ５１２，５１３が、メスコネクタ６０のガイド溝８２２，８２３（図７（ａ）参照）に案内されることで、メスコネクタ６０がオスコネクタ１０に対して正確に位置決めされる。
【００４６】
さらに、本実施形態では、図３（ｂ）に示すように、一方のガイドリブ５１３には、メスコネクタ６０の弾性片８２４の突起８２５（図１０（ａ）参照）が入り込む凹部５１４が形成されている。
【００４７】
アウタフランジ５２は、オス側アウタ筒部５１の解除方向側の端部に設けられている。図４に示すように、このアウタフランジ５２には、オス側インナハウジング３０のインナフランジ３２に対応した凹部５２１が形成されており、この凹部５２１にインナフランジ３２が嵌め込まれている。このアウタフランジ５２は、オスコネクタ１０を電動モータの筐体１００にボルト締結等される。
【００４８】
オス側凸部５３は、オス側アウタ筒部５１から径方向に突出している。このオス側凸部５３の略中央には、図３（ａ）及び図３（ｄ）に示すように、メスコネクタ６０のボルト８６と螺合可能な雌ネジ部５３１が設けられている。この雌ネジ部５３１は、オス端子２０とメス端子７０とが嵌合する嵌合面ＣＬ（図９（ａ）〜図９（ｃ）参照）を中心として偏心した位置に配置されており、オス側アウタハウジング５０の外周部に設けられている。この雌ネジ部５３１は、例えば、オス側アウタハウジング５０にナットを埋設することで構成されている。
【００４９】
以下に、図６（ａ）〜図６（ｅ）を参照しながら、オスコネクタ６０の組立手順について説明する。図６（ａ）〜図６（ｅ）は本実施形態におけるオスコネクタの組立手順を示す図である。
【００５０】
先ず、図６（ａ）に示すように、オス端子２０を端子シール２４に挿入して、端子シール２４を突起２３間に位置させる。次いで、図６（ｂ）に示すように、オス端子２０をオス側インナハウジング３０の端子保持孔３１１に挿入する。
【００５１】
一方で、図６（ｃ）に示すように、仕切部材４０の第２の支持アーム４３の凹部４３１にナット４６をそれぞれ嵌め込む。
【００５２】
次いで、図６（ｄ）に示すように、仕切部材４０の第１の支持アーム５２をオス側インナハウジング３０の挿入溝３１４に挿入すると共に、仕切部材４０の第２の支持アーム４３及びナット４６をオス側インナハウジング３０の切欠き３１５に挿入することで、仕切部材４０をオス側インナハウジング３０に組み付ける。また、オスハウジング２０の環状溝３４にハウジングシール３６を嵌め込む。
【００５３】
次いで、図６（ｅ）に示すように、オス側インナ筒部３３をオス側アウタ筒部４２に挿入すると共に、インナフランジ３２をアウタフランジ５２の凹部５２１に嵌め込んで、オス側インナハウジング３０をオス側アウタハウジング５０に組み付けることで、オスコネクタ１０が完成する。
【００５４】
次に、図７〜図１０を参照しながら、メスコネクタ６０の構成について詳細に説明する。
【００５５】
図７（ａ）〜図７（ｃ）は本実施形態におけるメスコネクタを示す図、図８は本実施形態におけるメスコネクタの分解斜視図、図９（ａ）〜図９（ｃ）は図７（ｃ）のIX部の拡大断面図、図１０（ａ）は図７（ｃ）のX-X線に沿った拡大断面図、図１０（ｂ）は図１０（ａ）のXB-XB線に沿った断面図である。
【００５６】
本実施形態におけるメスコネクタ６０は、図７（ａ）〜図７（ｃ）及び図８に示すように、３つのメス端子７０と、メス側ハウジング８０と、を有している。
【００５７】
メス端子７０は、例えば銅又は銅合金から構成されており、図８に示すように、その先端側に略箱形状の受容部７１を有すると共に、その後端にバレル部７２を有している。
【００５８】
図９（ａ）に示すように、メス端子７０の受容部７１内には、弓状に屈曲した板バネ部材７１１が設けられている。この受容部７１には、オス端子２０のタブ２１が挿入可能となっており、受容部７１内に挿入されたタブ２１は、板バネ部材７１１によって箱状の受容部７１の内壁面に押し付けられる。このため、タブ２１は、板バネ部材７１１によって押し付けられながら受容部７１内に挿入される。この押付によりタブ２１と受容部７１とが相互にワイピングされて、当該タブ２１及び受容部７１の表面に形成された酸化被膜が除去される。
【００５９】
本実施形態では、図９（ｂ）に示すように、受容部７１に挿入されたタブ２１が正規の位置に到達すると、オス端子２０とメス端子７０とが完全に嵌合する。ここで、正規の位置とは、タブ２１が受容部７１と所定距離Ｌ０だけ擦れ合った位置であり、図９（ｃ）に示すようなオス端子２０とメス端子７０とが単に接触するだけ等の所定量Ｌ０のワイピングが確保されない位置（半嵌合）は含まない。
【００６０】
図８に示すように、メス端子７０のバレル部７２には、電力ケーブル９０の電線９１の中心導体が圧着されている。なお、この電線９１は、中心導体の外周を被覆する絶縁層９２を有しているが、バレル部７２と圧着される端部では、被覆層９２が剥がされて中心導体が露出している。
【００６１】
この電線９１には、環状のワイヤシール７３にそれぞれ挿入されている。また、電線９１においてワイヤシール７３の近傍にはストレインリリーフ７４が取り付けられており、ワイヤシール７４の抜け止めが図られている。なお、ワイヤシール７３は、例えばシリコーンゴムから構成されており、ストレインリリーフ７４は、例えば、ポリブチレンテレフタレート（ＰＢＴ）から構成されている。
【００６２】
メス側ハウジング８０は、図７（ａ）〜図７（ｃ）及び図８に示すように、端子収容部８１と、メス側筒部８２と、外壁部８３と、メス側凸部８４と、を有している。このメス側インナハウジング８０は、例えば樹脂材料等の電気絶縁性を有する材料から構成されている。
【００６３】
端子収容部８１には、メス端子７０をそれぞれ収容（保持）する３つの端子収容穴８１１が実質的に平行に形成されている。それぞれの端子収容穴８１１は、解除方向側で開口しており、当該開口を介して、メス端子７０が端子収容穴８１１内に受容部７１側から挿入されている。この端子収容穴８１１には、メス端子７０と共にワイヤシール７３が圧入されており、このワイヤシール７３がメス端子７０とメス側ハウジング８０との間をシールしている。
【００６４】
図９（ａ）に示すように、端子収容穴８１１の底部には、端子露出孔８１２が形成されており、端子収容穴８１１内に収容されているメス端子７０に対して、この端子露出孔８１２を介してオス端子２０のタブ２１が接近可能となっている。
【００６５】
この端子収容部８１は、メス側筒部８２内に突出しており、端子収容部８１とメス側筒部８２との間に嵌合溝８２１が形成されている。この嵌合溝８２１にオスコネクタ１０のオス側インナ筒部３３及びオス側アウタ筒部５１が入り込むと共に、端子収容部８１がオス側インナ筒部３３及びオス側アウタ筒部５１内に入り込むことで、オスコネクタ１０とメスコネクタ６０とが嵌合する（図１２（ａ）〜図１２（ｃ）参照）。
【００６６】
また、その嵌合溝８２１内において、端子収容部８１の外周に環状のハウジングシール８１３が装着されている。このハウジングシール８１３は、例えばシリコーンゴムから構成されており、嵌合時にオス側インナ筒部３３と端子収容部８１との間をシールする。
【００６７】
メス側筒部８２は、図７（ａ）に示すように、偏平な略円筒体であり、このメス側筒部８２の長軸方向の両端には、嵌合方向に沿ったガイド溝８２２，８２３が形成されている。オスコネクタ１０のガイドリブ５１２，５１３がこのガイド溝８２２，８２３に挿入されることで、メスコネクタ６０がオスコネクタ１０に対して正確に位置決めされる。
【００６８】
また、本実施形態におけるメス側筒部８２は、図１０（ａ）及び図１０（ｂ）に示すように、一方のガイド溝８２３に対して実質的に平行に設けられた弾性片８２４と枠部８２９を有している。
【００６９】
弾性片８２４の嵌合方向側の端部８２４ａは、メス側筒部８２に固定されていない自由端となっているのに対し、解除方向側の端部８２４ｂは、メス側筒部８２に繋がった固定端となっている。また、この弾性片８２４には、メスコネクタ６０の一方のガイドリブ５１３に形成された凹部５１４に入り込む突起８２５が形成されている。
【００７０】
本実施形態では、オス側アウタハウジング５０とメス側ハウジング８０との位置関係が、オス端子２０とメス端子７０とが正規の位置で嵌合するような（厳密にはタブ２１と受容部７１とが所定量Ｌ０以上擦れ合った）位置関係になると、この凹部５１４に弾性片８２３の突起８２４が入り込むように構成されている。
【００７１】
一方、枠部８２９は、３つの面８２９ａ，８２９ｂ，８２９ｃで弾性片８２４を取り囲んでおり、上部の開口８２９ｄを介して、弾性片８２４を視認することが可能となっている。なお、本実施形態では、枠部８２９が弾性片８２４を長手方向の全体に亘って囲んでいるが、特にこれに限定されず、枠部８２９が少なくとも弾性片８２４の自由端８２４ａの周囲を囲んでいればよい。
【００７２】
外壁部８３は、図８に示すように、解除方向側で端子収容部８１の周囲を取り囲んでいる。この外壁部８３と端子収容部８１との間に形成された挿入空間８３１には、偏平の略円筒状のシールドプレート８３２が挿入されている。このシールドプレート８３２は、例えば、銅又は銅合金から構成されており、メス側ハウジング８０内でメス端子７０を電磁的にシールドする。
【００７３】
さらに、この挿入空間８３１には、電力ケーブル９０の編組線９３と、編組線９３の端部を挟み込んで圧着された２つのフェルール７５，７６と、が挿入されている。従って、シールドプレート８３２と編組線９３とは、アウタフェルール７５を介して電気的に接続されている。そして、挿入空間８３１に編組線９３、フェルール７５，７６、及びシールドプレート８３２を挿入した状態で、外壁部８３には、上カバー８８１と下カバー８８２から構成されるリアカバー８８が被せられている。
【００７４】
メス側凸部８４は、オス側凸部５３に対応する位置で、メス側筒部８２から径方向に突出している。このメス側凸部８４には、当該メス側凸部８４を嵌合方向に貫通する貫通孔８４１が形成されており、メス側凸部８４の貫通孔８４１は、上述の雌ネジ部５３１に対応するように、オス端子２０とメス端子７０とが嵌合する嵌合面ＣＬ（図９（ａ）〜図９（ｃ）参照）を中心として偏心した位置に配置されている。この貫通孔８４１には、例えば鋼製のカラー８５が挿入されており、さらにこのカラー８５にはボルト８６が挿入されており、結果的に、このボルト８６も嵌合面ＣＬを中心として偏心した位置に配置されて、メス側ハウジング８０の外周部に保持されている。当該ボルト８６は、メス側凸部８４の嵌合方向側の面で、Ｅリング８７によって抜け止めされて、メス側ハウジング８０に回転可能に保持されている。
【００７５】
以下に、図１１（ａ）〜図１１（ｇ）を参照しながら、メスコネクタ６０の組立手順について説明する。図１１（ａ）〜図１１（ｇ）は本実施形態におけるメスコネクタの組立手順を示す図である。
【００７６】
先ず、図１１（ａ）に示すように、電線９１をワイヤシール７３に挿入すると共に当該電線９１にストレインリーフ７４を装着する。次いで、電線９１の端部において絶縁層９２から露出した中心導体と、メス端子７０のバレル部７２とを加締める（圧着する）。
【００７７】
一方、図１１（ｂ）に示すように、アウタフェルール７５内に編組線９３の端部を挿入すると共に、その編組線９３の端部の内側にインナフェルール７６を挿入して、編組線９３の端部をアウタフェルール７５とインナフェルール７６との間に挟み込み、アウタフェ―ルール７５、編組線９３、及びインナフェ―ルール７６を加締める（圧着する）。
【００７８】
次いで、図１１（ｃ）に示すように、編組線９３内に、メス端子７０が取り付けられた電線９１を挿入する。
【００７９】
一方、図１１（ｄ）に示すように、メス側ハウジング８０の嵌合溝８２１にハウジングシール８１３を挿入して、端子収容部８１の周りのハウジングシール８１３を装着する。次いで、図１１（ｅ）に示すように、メス側ハウジング８０の挿入空間８３１内にシールドプレート８３２を挿入する。次いで、図１１（ｆ）に示すように、メス側ハウジング８０のメス側凸部８４の貫通孔８４１にカラー８５及びボルト８６を挿入し、さらにＥリング８７によってボルト８６を固定する。
【００８０】
次いで、図１１（ｇ）に示すように、メス側ハウジング８０の端子収容穴８１１内にメス端子７０を挿入すると共に、メス側ハウジング８０の収容空間８３１内にアウタフェ―ルール７５、編組線９３、及びインナフェルール７６を挿入する。
【００８１】
次いで、特に図示しないが、メス側ハウジング８０の外壁部８３と編組線９３を覆うように、メス側ハウジング８０にリアカバー８８を装着することで、メスコネクタ６０が完成する。
【００８２】
以上に説明したオスコネクタ１０とメスコネクタ６０の嵌合動作について、図１２（ａ）〜図１４（ｂ）を参照しながら説明する。
【００８３】
図１２（ａ）〜図１２（ｃ）は本実施形態におけるオスコネクタとメスコネクタの嵌合動作を示す断面図、図１３（ａ）は図１２（ｂ）のXIIIA部の拡大図、図１３（ｂ）は図１２（ｃ）のXIIIBの拡大図、図１４（ａ）及び図１４（ｂ）は図１２（ｂ）及び図１２（ｃ）にそれぞれ対応した斜視図である。
【００８４】
先ず、図１２（ａ）に示すように、オスコネクタ１０とメスコネクタ６０とを仮嵌合させる。これにより、オスコネクタ１０のオス側インナ筒部３３及びオス側アウタ筒部５１が、メスコネクタ６０の嵌合溝８２１内に入り込むと共に、メスコネクタ６０の端子収容部８１が、オスコネクタ１０のオス側インナ筒部３３及びオス側アウタ筒部５１内に入り込む。
【００８５】
この際、オスコネクタ１０のガイドリブ５１２，５１３が、メスコネクタ６０の凹部８２２，８２３に挿入される。また、特に図示しないが、メスコネクタ６０のボルト８６の雄ネジ部の先端が、オスコネクタ１０の雌ネジ部５３１に係合し、ボルト８６を雌ネジ部５３１にねじ込み可能となる。
【００８６】
その状態から、ボルト８６を回転させて雌ネジ部５３１にねじ込んでいくと、図１２（ｂ）に示すように、メスコネクタ６０が、ガイドリブ５１２，５１３及び凹部８２２，８２３によって案内されながら、オスコネクタ１０に接近する。
【００８７】
この状態では、図１３（ａ）に示すように、メスコネクタ６０の弾性片８２４の突起８２５が、オスコネクタ１０のガイドリブ５１３によって押圧されて弾性片８２４が変形している。そのため、図１４（ａ）に示すように、弾性片８２４の自由端８２４ａが枠部８２９の面８２９ｂに接触している。
【００８８】
ボルト８６をさらに回転させて雌ネジ部５３１にねじ込むと、図１２（ｃ）に示すように、メスコネクタ６０がオスコネクタ１０にさらに接近し、オス端子２０とメス端子６０とが正規の位置で嵌合し、オスコネクタ１０とメスコネクタ６０とが完全に嵌合する。
【００８９】
この状態では、図１３（ｂ）に示すように、弾性片８２４の突起８２５が、ガイドリブ５１３の凹部５１４に入り込んでいるので、弾性片８２４は弾性力によって直立状態に回復している。そのため、図１４（ｂ）に示すように、弾性片８２４の自由端８２４ａと枠部８２９の面８２９ｂとの間には、所定の隙間ｃ０が形成されている。
【００９０】
以上のように、本実施形態では、弾性片８２４の自由端８２４ａの位置によって、オス端子２０とメス端子７０とが正規の位置で嵌合しているか否かを判断することができる。このため、偏心した位置でボルト締結するタイプのコネクタ組立体であっても、端子２０，７０の嵌合を判別することができる。
【００９１】
特に、電気自動車の中などの狭小な領域内でコネクタ１０，６０を嵌合させる場合には、コネクタ嵌合用のボルトを嵌合面に対して偏心した位置に一本しか設けることができず、かじりが生じる可能性が一層高くなるので、端子２０，７０の嵌合判別は有効である。
【００９２】
また、本実施形態では、枠部８２９が弾性片８２４の自由端８２４ａの周囲を囲んでいるので、枠部８２９に対する自由端８２４ａの相対位置（所定の隙間ｃ０）によって、端子２０，７０の嵌合を容易に判別することができる。
【００９３】
また、本実施形態では、枠部８２９が弾性片８２４の全体を囲んでいるので、弾性片８２４を保護することもできる。
【００９４】
また、本実施形態では、オス端子２０とメス端子７０との嵌合状態を示すための弾性片８２４が、メス側ハウジング８０に一体的に形成されているので、メスコネクタ６０の部品点数が増加することがない。
【００９５】
同様に、本実施形態では、オス端子２０とメス端子７０との嵌合状態を示すための凹部５１４が、オス側アウタハウジング５０の一方のガイドリブ５１３に形成されているので、オスコネクタ１０の部品点数が増加することがない。
【００９６】
なお、本実施形態におけるメスコネクタ６０が本発明における第１のコネクタの一例に相当し、本実施形態におけるメス端子７０が本発明における第１の端子の一例に相当し、本実施形態におけるメス側ハウジング８０が本発明における第１のコネクタ本体の一例に相当する。
【００９７】
また、本実施形態におけるオスコネクタ１０が本発明における第２のコネクタの一例に相当し、本実施形態におけるオス端子２０が本発明における第２の端子の一例に相当し、本実施形態におけるオス側ハウジング３０，５０が本発明における第２のコネクタ本体の一例に相当し、本実施形態における嵌合面ＣＬが本発明における第１及び第２のコネクタの中心の一例に相当する。
【００９８】
また、本実施形態における凹部５１４及び弾性片８２４が、本発明における嵌合表示手段の一例に相当する。
【００９９】
なお、オス端子２０とメス端子７０との嵌合状態を示す嵌合表示手段は、特に上記の構成に限定されない。以下に、嵌合表示手段の変形例について説明する。
【０１００】
図１５は本実施形態における嵌合表示手段の第１変形例を示す図である。
【０１０１】
図１５に示すように、上述の図１０（ａ）に示す構成とは反対に、オス側アウタハウジング５０のガイドリブ５１３Ｂに突起５１５を形成し、メス側ハウジング８０の弾性片８２４Ｂに、当該突起５１５が入り込む凹部８２６を形成してもよい。
【０１０２】
本例における突起５１５及び弾性片８２４Ｂが、本発明における嵌合表示手段の一例に相当する。
【０１０３】
図１６（ａ）は本実施形態における嵌合表示手段の第２変形例を示す図、図１６（ｂ）は図１６（ａ）のXVIB矢視図である。
【０１０４】
図１６（ａ）及び図１６（ｂ）に示すように、弾性片８２４Ｃの自由端に突出部８２７を設けると共に、枠部８２９Ｃの面８２９ｂの上部に切欠き８２９ｅを形成して、当該切欠き８２９ｅを赤色等に着色してもよい。
【０１０５】
弾性片８２４Ｃが弾性変形している場合には、突出部８２７が切欠き８２９ｅに覆いかぶさって着色された部分を視認することができない。これに対し、弾性片８２４Ｃが直立状態に復帰すると、切欠き８２９ｅから突出部８２７が離反するので着色された部分を視認することができる。このため、端子２０，７０の嵌合状態を更に容易に判別することができる。
【０１０６】
本例における凹部５１４及び弾性片８２４Ｃが、本発明における嵌合表示手段の一例に相当する。
【０１０７】
図１７は本実施形態における嵌合表示手段の第３変形例を示す図である。
【０１０８】
図１７に示すように、メス側ハウジング８０の弾性片８２４Ｄを、枠部８２９Ｄに立設された支持部８２４１と、当該支持部８２４１に支持された笠部８２４２と、で構成してもよい。笠部８２４２は、嵌合方向に対して直交する方向に沿った稜線を持つ三角柱形状を有している。この弾性片８２４Ｄの笠部８２４２は、ガイドリブ５１３Ｄの突起５１６に押圧されると、支持部８２４１を支点として揺動可能となっている。このため、弾性片８２４Ｄの外周部と枠部８２９Ｄとの相対距離に基づいて、端子２０，７０の嵌合状態を判別することができる。
【０１０９】
本例における突起５１６及び弾性片８２４Ｄが、本発明における嵌合表示手段の一例に相当する。
【０１１０】
図１８は本実施形態における嵌合表示手段の第４変形例を示す図である。
【０１１１】
図１８に示すように、弾性片に代えて、オス側アウタハウジング５０のガイドリブ５１３Ｅに、赤色等のマーク５１７を付すと共に、メス側ハウジング８０のメス側円筒部８２に判別孔８２８を形成してもよい。判別孔８２８内におけるマーク５１７の有無によって、端子２０，７０の嵌合状態を判別することができる。
【０１１２】
本例におけるマーク５１７及び判別孔８２８が、本発明における嵌合表示手段の一例に相当する。
【０１１３】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【０１１４】
例えば、上述の実施形態では、オスコネクタ１０に雌ネジ部５３１を設け、メスコネクタ６０にボルト８６を設けたが、特にこれに限定されない。例えば、オスコネクタがボルトを有し、メスコネクタが雌ネジ部を有してもよい。
【０１１５】
また、上述の実施形態では、オスコネクタ１０を電動モータの筐体１００に取り付け、メスコネクタ６０を電力ケーブル９０の端部に取り付けたが、特にこれに限定されない。例えば、メスコネクタを電動モータの筐体に取り付け、オスコネクタを電力ケーブルに取り付けてもよい。
【符号の説明】
【０１１６】
１…コネクタ組立体
１０…オスコネクタ
２０…オス端子
３０…オス側インナハウジング
４０…仕切部材
５０…オス側アウタハウジング
５１…オス側アウタ筒部
５１３…ガイドリブ
５１４…凹部
５３…オス側凸部
５３１…雌ネジ部
６０…メスコネクタ
７０…メス端子
８０…メス側ハウジング
８２…メス側筒部
８２３…ガイド溝
８２４…弾性片
８２４ａ…自由端
８２４ｂ…固定端
８２５…突起
８２９…枠部
８２９ａ〜８２９ｃ…面
８２９ｄ…開口
８４…メス側凸部
８６…ボルト
９０…電力ケーブル
９１…電線
９２…絶縁層
９３…編組線
【図１】
2012105652.tif 000003
【図２】
2012105652.tif 000004
【図３】
2012105652.tif 000005
【図４】
2012105652.tif 000006
【図５】
2012105652.tif 000007
【図６】
2012105652.tif 000008
【図７】
2012105652.tif 000009
【図８】
2012105652.tif 000010
【図９】
2012105652.tif 000011
【図１０】
2012105652.tif 000012
【図１１】
2012105652.tif 000013
【図１２】
2012105652.tif 000014
【図１３】
2012105652.tif 000015
【図１４】
2012105652.tif 000016
【図１５】
2012105652.tif 000017
【図１６】
2012105652.tif 000018
【図１７】
2012105652.tif 000019
【図１８】
2012105652.tif 000020
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
第１の端子と、前記第１の端子を保持する第１のコネクタ本体と、前記第１のコネクタ本体に回転可能に保持されたボルトと、を有する第１のコネクタと、
前記第１の端子と嵌合可能な第２の端子と、前記第２の端子を保持すると共に前記第１のコネクタ本体と嵌合可能な第２のコネクタ本体と、前記第２のコネクタ本体に設けられた雌ネジ部と、を有する第２のコネクタと、を備え、
前記ボルトと前記雌ネジ部とを螺合させることで、前記第１のコネクタと前記第２のコネクタとが嵌合するコネクタ組立体であって、
前記第１の端子と前記第２の端子とが嵌合したことを表示する嵌合表示手段を備えており、
前記嵌合表示手段は、
突起を有し、前記第１のコネクタ本体又は前記第２のコネクタ本体の一方に、前記第１の端子と前記第２の端子との嵌合方向に沿って設けられた弾性片と、
前記第２のコネクタ本体又は前記第１のコネクタ本体の他方に設けられ、前記突起が入り込む凹部と、を含むことを特徴とするコネクタ組立体。
【請求項２】
請求項１に記載のコネクタ組立体であって、
前記ボルトは、前記第１のコネクタの中心から偏心した位置で前記第１のコネクタ本体に回転可能に保持されており、
前記雌ネジ部も、前記ボルトに対応するように、前記第２のコネクタの中心から偏心した位置で前記第２のコネクタ本体に設けられていることを特徴とするコネクタ組立体。
【請求項３】
請求項１又は２に記載のコネクタ組立体であって、
前記嵌合表示手段は、前記第１のコネクタ本体と前記第２のコネクタ本体との相対的な位置関係に基づいて、前記第１の端子と前記第２の端子とが嵌合したことを表示することを特徴とするコネクタ組立体。
【請求項４】
請求項１〜３の何れかに記載のコネクタ組立体であって、
前記第２のコネクタ本体又は前記第１のコネクタ本体の他方は、前記嵌合方向に沿って延在するリブを有し、
前記凹部は、前記リブに形成されていることを特徴とするコネクタ組立体。
【請求項５】
請求項４に記載のコネクタ組立体であって、
前記第１のコネクタ本体と前記第２のコネクタ本体とが嵌合を開始すると、前記リブが前記弾性片に押圧して前記弾性片が撓み、
前記第１のコネクタ本体と前記第２のコネクタ本体との相対位置が、前記第１の端子と前記第２の端子とが正規の位置で嵌合するような位置に達すると、前記突起が前記凹部内に入り込み、前記弾性片の撓みが解除されることを特徴とするコネクタ組立体。
【請求項６】
請求項１〜５の何れかに記載のコネクタ組立体であって、
前記第１のコネクタ本体又は前記第２のコネクタ本体の一方は、前記弾性片の少なくとも一部を囲む枠部を有することを特徴とするコネクタ組立体。
【手続補正２】
【補正対象書類名】明細書
【補正対象項目名】０００８
【補正方法】変更
【補正の内容】
【０００８】
［１］本発明に係るコネクタ組立体は、第１の端子と、前記第１の端子を保持する第１のコネクタ本体と、前記第１のコネクタ本体に回転可能に保持されたボルトと、を有する第１のコネクタと、前記第１の端子と嵌合可能な第２の端子と、前記第２の端子を保持すると共に前記第１のコネクタ本体と嵌合可能な第２のコネクタ本体と、前記第２のコネクタ本体に設けられた雌ネジ部と、を有する第２のコネクタと、を備え、前記ボルトと前記雌ネジ部とを螺合させることで、前記第１のコネクタと前記第２のコネクタとが嵌合するコネクタ組立体であって、前記第１の端子と前記第２の端子とが嵌合したことを表示する嵌合表示手段を備えており、前記嵌合表示手段は、突起を有し、前記第１のコネクタ本体又は前記第２のコネクタ本体の一方に、前記第１の端子と前記第２の端子との嵌合方向に沿って設けられた弾性片と、前記第２のコネクタ本体又は前記第１のコネクタ本体の他方に設けられ、前記突起が入り込む凹部と、を含むことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
［４］上記発明において、前記第２のコネクタ本体又は前記第１のコネクタ本体の他方は、前記嵌合方向に沿って延在するリブを有し、前記凹部は、前記リブに形成されていてもよい。
【手続補正５】
【補正対象書類名】明細書
【補正対象項目名】００１３
【補正方法】変更
【補正の内容】
【００１３】
［５］上記発明において、前記第１のコネクタ本体と前記第２のコネクタ本体とが嵌合を開始すると、前記リブが前記弾性片に押圧して前記弾性片が撓み、前記第１のコネクタ本体と前記第２のコネクタ本体との相対位置が、前記第１の端子と前記第２の端子とが正規の位置で嵌合するような位置に達すると、前記突起が前記凹部内に入り込み、前記弾性片の撓みが解除されてもよい。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
［６］上記発明において、前記第１のコネクタ本体又は前記第２のコネクタ本体の一方は、前記弾性片の少なくとも一部を囲む枠部を有してもよい。
【国際調査報告】
2012105652.tif 000021
2012105652.tif 000022
2012105652.tif 000023
2012105652.tif 000024